【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
第１のユーザ機器（ＵＥ）のワイヤレス通信の方法であって、
第２のＵＥに関係するブロードキャスト情報と、前記ブロードキャスト情報に関連するタグとを第３のＵＥから受信することと、
前記ブロードキャスト情報なしで前記タグをＵＥセットに中継すること、ここにおいて、前記タグは前記第２のＵＥのためのアイデンティティを備える、と、
前記ＵＥセットにおける第４のＵＥからブロードキャスト情報を求める要求を受信することと、
前記ブロードキャスト情報を前記第４のＵＥに中継することと
を備える方法。
【請求項２】
前記タグは、情報タイプ、情報識別子、バージョン番号およびタイムスタンプのうちの少なくとも１つを備える、請求項１に記載の方法。
【請求項３】
前記ブロードキャスト情報なしで前記タグを中継する前に、前記ブロードキャスト情報とともに前記タグを中継することをさらに備える、請求項１に記載の方法。
【請求項４】
前記ブロードキャスト情報とともに前記タグは、前記第４のＵＥに中継される、請求項１に記載の方法。
【請求項５】
ブロードキャスト情報を求める前記要求は、前記タグを備える、請求項１に記載の方法。
【請求項６】
前記要求は、ＵＥに関連する識別子を含み、前記方法は、
前記識別子が前記第１のＵＥに関連付けられるかどうかを決定することと、
前記識別子が前記第１のＵＥに関連付けられると決定されたときに、前記ブロードキャスト情報を前記第４のＵＥに中継することを決定することと、
前記識別子が前記第１のＵＥに関連付けられないと決定されたときに、前記ブロードキャスト情報を前記第４のＵＥに中継するのをやめることを決定することとをさらに備える、請求項５に記載の方法。
【請求項７】
ブロードキャスト情報を求める前記要求は、前記タグまたは前記タグに関連する前記ブロードキャスト情報を含まない、請求項１に記載の方法。
【請求項８】
前記ブロードキャスト情報の後続バージョンと、前記ブロードキャスト情報の前記後続バージョンに関連する第２のタグとを受信することと、
前記第２のタグとともに前記ブロードキャスト情報の前記後続バージョンを中継することと、
前記第２のタグとともに前記ブロードキャスト情報の前記後続バージョンを中継した後、前記ブロードキャスト情報の前記後続バージョンなしで前記第２のタグを中継することとをさらに備える、請求項１に記載の方法。
【請求項９】
前記第１、第２および第３のＵＥは同じＵＥであり、前記受信することは前記第１のＵＥ内で内部的に起こる、請求項１に記載の方法。
【請求項１０】
前記第２および第３のＵＥは同じＵＥであり、前記第１のＵＥとは異なる、請求項１に記載の方法。
【請求項１１】
ワイヤレス通信のための第１のユーザ機器（ＵＥ）であって、
第２のＵＥに関係するブロードキャスト情報と、前記ブロードキャスト情報に関連するタグとを第３のＵＥから受信するための手段と、
前記ブロードキャスト情報なしで前記タグをＵＥセットに中継するための手段と、ここにおいて、前記タグは前記第２のＵＥのためのアイデンティティを備える
前記ＵＥセットにおける第４のＵＥからブロードキャスト情報を求める要求を受信するための手段と、
前記ブロードキャスト情報を前記第４のＵＥに中継するための手段と
を備える第１のＵＥ。
【請求項１２】
前記タグは、情報タイプ、情報識別子、バージョン番号およびタイムスタンプのうちの少なくとも１つを備える、請求項１１に記載の第１のＵＥ。
【請求項１３】
前記ブロードキャスト情報なしで前記タグを中継する前に、前記ブロードキャスト情報とともに前記タグを中継するための手段をさらに備える、請求項１１に記載の第１のＵＥ。
【請求項１４】
前記ブロードキャスト情報とともに前記タグは、前記第４のＵＥに中継される、請求項１１に記載の第１のＵＥ。
【請求項１５】
請求項１乃至１０のいずれか一項に記載の方法を実施するための命令を備える、コンピュータプログラム。
【手続補正２】
【補正対象書類名】明細書
【補正対象項目名】０１８９
【補正方法】変更
【補正の内容】
【０１８９】
[00210]現在例示的な特徴と考えられることについて例示し説明したが、特許請求する主題から逸脱することなく、様々な他の変更が行われ得、等価物が代用され得ることが、当業者には理解されよう。さらに、本明細書に記載の中心概念から逸脱することなく、特許請求する主題の教示に特定の状況を適合させるために多くの変更が行われ得る。したがって、特許請求する主題は、開示した特定の例に限定されず、そのような特許請求する主題は、添付の特許請求の範囲の範囲内に入るすべての態様、およびその均等物をも含むものとする。
以下に、本願出願の当初の特許請求の範囲に記載された発明を付記する。
［Ｃ１］
第１のユーザ機器（ＵＥ）のワイヤレス通信の方法であって、
第２のＵＥに関係するブロードキャスト情報と、前記ブロードキャスト情報に関連するタグとを第３のＵＥから受信することと、
前記ブロードキャスト情報なしで前記タグをＵＥセットに中継することと、
前記ＵＥセットにおける第４のＵＥからブロードキャスト情報を求める要求を受信することと、
前記ブロードキャスト情報を前記第４のＵＥに中継することと
を備える方法。
［Ｃ２］
前記タグは、前記第２のＵＥのためのアイデンティティ、情報タイプ、情報識別子、バージョン番号およびタイムスタンプのうちの少なくとも１つを備える、Ｃ１に記載の方法。
［Ｃ３］
前記ブロードキャスト情報なしで前記タグを中継する前に、前記ブロードキャスト情報とともに前記タグを中継することをさらに備える、Ｃ１に記載の方法。
［Ｃ４］
前記ブロードキャスト情報とともに前記タグが前記第４のＵＥに中継される、Ｃ１に記載の方法。
［Ｃ５］
ブロードキャスト情報を求める前記要求は、前記タグを備える、Ｃ１に記載の方法。
［Ｃ６］
前記要求は、ＵＥに関連する識別子を含み、前記方法は、
前記識別子が前記第１のＵＥに関連付けられるかどうかを決定することと、
前記識別子が前記第１のＵＥに関連付けられると決定されたときに、前記ブロードキャスト情報を前記第４のＵＥに中継することを決定することと、
前記識別子が前記第１のＵＥに関連付けられないと決定されたときに、前記ブロードキャスト情報を前記第４のＵＥに中継するのをやめることを決定することとをさらに備える、Ｃ５に記載の方法。
［Ｃ７］
ブロードキャスト情報を求める前記要求は、前記タグまたは前記タグに関連する前記ブロードキャスト情報を含まない、Ｃ１に記載の方法。
［Ｃ８］
前記ブロードキャスト情報の後続バージョンと、前記ブロードキャスト情報の前記後続バージョンに関連する第２のタグとを受信することと、
前記第２のタグとともに前記ブロードキャスト情報の前記後続バージョンを中継することと、
前記第２のタグとともに前記ブロードキャスト情報の前記後続バージョンを中継した後、前記ブロードキャスト情報の前記後続バージョンなしで前記第２のタグを中継することとをさらに備える、Ｃ１に記載の方法。
［Ｃ９］
前記第１、第２および第３のＵＥは同じＵＥであり、前記受信することは前記第１のＵＥ内で内部的に起こる、Ｃ１に記載の方法。
［Ｃ１０］
前記第２および第３のＵＥは同じＵＥであり、前記第１のＵＥとは異なる、Ｃ１に記載の方法。
［Ｃ１１］
ワイヤレス通信のための第１のユーザ機器（ＵＥ）であって、
第２のＵＥに関係するブロードキャスト情報と、前記ブロードキャスト情報に関連するタグとを第３のＵＥから受信するための手段と、
前記ブロードキャスト情報なしで前記タグをＵＥセットに中継するための手段と、
前記ＵＥセットにおける第４のＵＥからブロードキャスト情報を求める要求を受信するための手段と、
前記ブロードキャスト情報を前記第４のＵＥに中継するための手段と
を備える第１のＵＥ。
［Ｃ１２］
前記タグは、前記第２のＵＥのためのアイデンティティ、情報タイプ、情報識別子、バージョン番号およびタイムスタンプのうちの少なくとも１つを備える、Ｃ１１に記載の第１のＵＥ。
［Ｃ１３］
前記ブロードキャスト情報なしで前記タグを中継する前に、前記ブロードキャスト情報とともに前記タグを中継するための手段をさらに備える、Ｃ１１に記載の第１のＵＥ。
［Ｃ１４］
前記ブロードキャスト情報とともに前記タグは、前記第４のＵＥに中継される、Ｃ１１に記載の第１のＵＥ。
［Ｃ１５］
ブロードキャスト情報を求める前記要求は、前記タグを備える、Ｃ１１に記載の第１のＵＥ。
［Ｃ１６］
前記要求は、ＵＥに関連する識別子を含み、前記第１のＵＥは、
前記識別子が前記第１のＵＥに関連付けられるかどうかを決定するための手段と、
前記識別子が前記第１のＵＥに関連付けられると決定されたときに、前記ブロードキャスト情報を前記第４のＵＥに中継することを決定するための手段と、
前記識別子が前記第１のＵＥに関連付けられないと決定されたときに、前記ブロードキャスト情報を前記第４のＵＥに中継するのをやめることを決定するための手段とをさらに備える、Ｃ１５に記載の第１のＵＥ。
［Ｃ１７］
ブロードキャスト情報を求める前記要求は、前記タグまたは前記タグに関連する前記ブロードキャスト情報を含まない、Ｃ１１に記載の第１のＵＥ。
［Ｃ１８］
前記ブロードキャスト情報の後続バージョンと、前記ブロードキャスト情報の前記後続バージョンに関連する第２のタグとを受信するための手段と、
前記第２のタグとともに前記ブロードキャスト情報の前記後続バージョンを中継するための手段と、
前記第２のタグとともに前記ブロードキャスト情報の前記後続バージョンを中継した後、前記ブロードキャスト情報の前記後続バージョンなしで前記第２のタグを中継するための手段とをさらに備える、Ｃ１１に記載の第１のＵＥ。
［Ｃ１９］
前記第１、第２および第３のＵＥは同じＵＥであり、前記受信することは前記第１のＵＥ内で内部的に起こる、Ｃ１１に記載の第１のＵＥ。
［Ｃ２０］
前記第２および第３のＵＥは同じＵＥであり、前記第１のＵＥとは異なる、Ｃ１１に記載の第１のＵＥ。
［Ｃ２１］
ワイヤレス通信のための第１のユーザ機器（ＵＥ）であって、
メモリと、
前記メモリに結合された少なくとも１つのプロセッサと
を備え、前記少なくとも１つのプロセッサは、
第２のＵＥに関係するブロードキャスト情報と、前記ブロードキャスト情報に関連するタグとを第３のＵＥから受信し、
前記ブロードキャスト情報なしで前記タグをＵＥセットに中継し、
前記ＵＥセットにおける第４のＵＥからブロードキャスト情報を求める要求を受信し、
前記ブロードキャスト情報を前記第４のＵＥに中継するように構成される、第１のＵＥ。
［Ｃ２２］
前記タグは、前記第２のＵＥのためのアイデンティティ、情報タイプ、情報識別子、バージョン番号およびタイムスタンプのうちの少なくとも１つを備える、Ｃ２１に記載の第１のＵＥ。
［Ｃ２３］
前記少なくとも１つのプロセッサは、前記ブロードキャスト情報なしで前記タグを中継する前に、前記ブロードキャスト情報とともに前記タグを中継するようにさらに構成される、Ｃ２１に記載の第１のＵＥ。
［Ｃ２４］
前記ブロードキャスト情報とともに前記タグは、前記第４のＵＥに中継される、Ｃ２１に記載の第１のＵＥ。
［Ｃ２５］
ブロードキャスト情報を求める前記要求は、前記タグを備える、Ｃ２１に記載の第１のＵＥ。
［Ｃ２６］
前記要求は、ＵＥに関連する識別子を含み、前記少なくとも１つのプロセッサは、
前記識別子が前記第１のＵＥに関連付けられるかどうかを決定し、
前記識別子が前記第１のＵＥに関連付けられると決定されたときに、前記ブロードキャスト情報を前記第４のＵＥに中継することを決定し、
前記識別子が前記第１のＵＥに関連付けられないと決定されたときに、前記ブロードキャスト情報を前記第４のＵＥに中継するのをやめることを決定するようにさらに構成される、Ｃ２５に記載の第１のＵＥ。
［Ｃ２７］
ブロードキャスト情報を求める前記要求は、前記タグまたは前記タグに関連する前記ブロードキャスト情報を含まない、Ｃ２１に記載の第１のＵＥ。
［Ｃ２８］
前記少なくとも１つのプロセッサは、
前記ブロードキャスト情報の後続バージョンと、前記ブロードキャスト情報の前記後続バージョンに関連する第２のタグとを受信し、
前記第２のタグとともに前記ブロードキャスト情報の前記後続バージョンを中継し、
前記第２のタグとともに前記ブロードキャスト情報の前記後続バージョンを中継した後、前記ブロードキャスト情報の前記後続バージョンなしで前記第２のタグを中継するようにさらに構成される、Ｃ２１に記載の第１のＵＥ。
［Ｃ２９］
第１のＵＥのコンピュータプログラム製品であって、
コンピュータ可読媒体を備え、前記コンピュータ可読媒体は、
第２のＵＥに関係するブロードキャスト情報と、前記ブロードキャスト情報に関連するタグとを第３のＵＥから受信することと、前記ブロードキャスト情報なしで前記タグをＵＥセットに中継することと、前記ＵＥセットにおける第４のＵＥからブロードキャスト情報を求める要求を受信することと、前記ブロードキャスト情報を前記第４のＵＥに中継することとを行うためのコードを備える、コンピュータプログラム製品。